(57)【要約】【課題】  簡易な構成よりなり且つ簡易な操作でよいことにより、製造原価の低減や軽量化を可能とし且つ商品性を向上した容器保持装置を提供する。【解決手段】  搭載部材に対して上下移動可能なるベース部材１１と、搭載部材に埋没した位置でベース部材１１に沿い且つ搭載部材より突出した位置で搭載部材の上面に載置可能なると共に容器の底部を保持可能なる底部支持部材１２と、搭載部材に埋没した位置でベース部材１１に沿う位置に折りたたまれ且つ搭載部材より突出した位置で底部支持部材１２に配設されてなると共に容器の側部を保持可能なる側部支持部材１３とより構成されてなり、側部支持部材１３は、ベース部材１１の両端部にそれぞれ水平方向に回転自在に軸支されてなる基部２０ａ，２１ａと、該基部２０ａ，２１ａよりそれぞれ突出されてなり且つ上下にずれることで互い違いに容器の側部を保持可能な保持部２０ｂ，２１ｂとより構成されてなる。【選択図】        図３
2005104357.tif 000002
【特許請求の範囲】
【請求項１】
搭載部材に対して埋没した位置及び該埋没位置から搭載部材より突出した位置の両位置に上下移動可能なるベース部材と、前記搭載部材に埋没した位置で前記ベース部材に沿い且つ前記搭載部材より突出した位置で前記搭載部材の上面に載置可能なると共に容器の底部を保持可能なる底部支持部材と、前記搭載部材に埋没した位置で前記ベース部材に沿う位置に折りたたまれ且つ前記搭載部材より突出した位置で前記底部支持部材の上側に配設されてなると共に容器の側部を保持可能なる側部支持部材とより構成されてなり、
前記側部支持部材は、前記ベース部材の両端部にそれぞれ水平方向に回転自在に軸支されてなる基部と、該基部よりそれぞれ突出されてなり且つ上下にずれることで互い違いに容器の側部を保持可能な保持部とより構成されてなることを特徴とする容器保持装置。
【請求項２】
請求項１に記載の容器保持装置であって、
前記側部支持部材は、前記ベース部材に沿う位置から前記底部支持部材の上側に位置するよう常時付勢されて支持してなることを特徴とする容器保持装置。
【請求項３】
請求項２に記載の容器保持装置であって、
前記側部支持部材の保持部は、上下に亘って複数の鈎状に形成されてなることを特徴とする容器保持装置。
【請求項４】
請求項３に記載の容器保持装置であって、
前記ベース部材には、前記側部支持部材の保持部が出没自在の開口が形成されてなることを特徴とする容器保持装置。
【請求項５】
請求項１乃至請求項４の何れか１項に記載の容器保持装置であって、
前記ベース部材は、前記搭載部材に固定された固定部材に囲繞され且つ該固定部材により上下方向に摺動自在に支持されてなり、該固定部材の上端部には蓋体が開閉自在に軸支されてなり、前記ベース部材の下端部に突設されたストッパは、前記固定部材に形成されてなる上下長孔を摺動可能なると共に常時上側へ付勢支持されてなることを特徴とする容器保持装置。
【請求項６】
請求項１乃至請求項５の何れか１項に記載の容器保持装置であって、
前記底部支持部材は、前記ベース部材に対して前記搭載部材の上面に載置する方向に常時付勢支持してなることを特徴とする容器保持装置。
【発明の詳細な説明】
【技術分野】
【０００１】
この発明は、容器保持装置に関するものである。
【背景技術】
【０００２】
自動車、電車などの乗り物や家屋、劇場などの屋内家具に採用されている容器保持装置としては、例えば、シート本体のサイドカバーなどの搭載部材に設けられたベース部材と、ベース部材に対してヒンジ機構により上下に回転自在に支持された受け皿部材とを備えている（例えば、特許文献１。）。
【特許文献１】特開２００３−５４３０３号公報
【発明の開示】
【発明が解決しようとする課題】
【０００３】
しかしながら、このような従来の技術にあっては、ヒンジ機構が複雑且つ多部品より構成されてなり、製造原価の高騰、重量増加などの問題点を有する。また、容器の保持手段が左右対称で、容器が転倒するおそれがあり、商品性を損なうおそれがある。
【０００４】
この発明は、このような従来の技術の問題点に着目してなされたものであり、簡易な構成よりなり且つ簡易な操作でよいことにより、製造原価の低減や軽量化を可能とし且つ商品性を向上した容器保持装置を提供するものである。
【課題を解決するための手段】
【０００５】
かかる従来技術を解決するために、請求項１に記載の発明は、搭載部材に対して埋没した位置及び該埋没位置から搭載部材より突出した位置の両位置に上下移動可能なるベース部材と、前記搭載部材に埋没した位置で前記ベース部材に沿い且つ前記搭載部材より突出した位置で前記搭載部材の上面に載置可能なると共に容器の底部を保持可能なる底部支持部材と、前記搭載部材に埋没した位置で前記ベース部材に沿う位置に折りたたまれ且つ前記搭載部材より突出した位置で前記底部支持部材の上側に配設されてなると共に容器の側部を保持可能なる側部支持部材とより構成されてなり、前記側部支持部材は、前記ベース部材の両端部にそれぞれ水平方向に回転自在に軸支されてなる基部と、該基部よりそれぞれ突出されてなり且つ上下にずれることで互い違いに容器の側部を保持可能な保持部とより構成されてなることを特徴とする。
【０００６】
請求項２に記載の発明は、請求項１に記載の容器保持装置であって、前記側部支持部材は、前記ベース部材に沿う位置から前記底部支持部材の上側に位置するよう常時付勢されて支持してなることを特徴とする。
【０００７】
請求項３に記載の発明は、請求項２に記載の容器保持装置であって、前記側部支持部材の保持部は、上下に亘って複数の鈎状に形成されてなることを特徴とする。
【０００８】
請求項４に記載の発明は、請求項３に記載の容器保持装置であって、前記ベース部材には、前記側部支持部材の保持部が出没自在の開口が形成されてなることを特徴とする。
【０００９】
請求項５に記載の発明は、請求項１乃至請求項４の何れか１項に記載の容器保持装置であって、前記ベース部材は、前記搭載部材に固定された固定部材に囲繞され且つ該固定部材により上下方向に摺動自在に支持されてなり、該固定部材の上端部には蓋体が開閉自在に軸支されてなり、前記ベース部材の下端部に突設されたストッパは、前記固定部材に形成されてなる上下長孔を摺動可能なると共に常時上側へ付勢支持されてなることを特徴とする。
【００１０】
請求項６に記載の発明は、請求項１乃至請求項５の何れか１項に記載の容器保持装置であって、前記底部支持部材は、前記ベース部材に対して前記搭載部材の上面に載置する方向に常時付勢支持してなることを特徴とする。
【発明の効果】
【００１１】
請求項１に記載の発明によれば、搭載部材に対して出没自在なベース部材と、該ベース部材に軸支された底部支持部材及び側部支持部材により構成されてなる容器保持装置であるので、構成が簡易となることで、製造原価の低減や軽量化を可能とした。また、側部支持部材の保持部が、基部よりそれぞれ突出されてなり且つ上下にずれることで互い違いに容器の側部を保持可能としたことにより、容器の側部を上下の長い領域に亘って保持できるので、容器の転倒を防止でき、商品性が著しく向上する。
【００１２】
請求項２に記載の発明によれば、前記側部支持部材は、前記底部支持部材に沿う位置から前記底部支持部材の上側に位置するよう常時付勢されて支持してなるので、ベース部材が持ち上がることにより、側部支持部材が略水平状態に移動し、容器を収納しやすいことになる。
【００１３】
請求項３に記載の発明によれば、側部支持部材の保持部は、上下に亘って複数の鈎状に形成されてなるので、容器の側部の上下を広範囲に支持でき、振動等が容器に加わっても転倒しにくくなる。
【００１４】
請求項４に記載の発明によれば、ベース部材には、前記側部支持部材の保持部が出没自在の開口が形成されてなるので、側部支持部材の折りたたみ時に保持部が開口内に没することが可能で、保持部が邪魔にならないことで、ベース部材に近接できることになる。
【００１５】
請求項５に記載の発明によれば、前記ベース部材は、固定部材により上下方向に摺動自在に支持されてなるので、ベース部材が没した状態では、底部支持部材及び側部支持部材も固定部材に収納されて、引っ掛けたりする恐れがない。ベース部材が突出した状態では、底部支持部材及び側部支持部材も露出し、容器を支持できる使用状態になる。前記固定部材の上端部には、蓋体が開閉自在に軸支されてなるので、上側からゴミなどが落ちても固定部材内に入り込むことがない。前記ベース部材の下端部に突設されたストッパは、前記固定部材に形成されてなる上下長孔を摺動可能であるので、ベース部材の露出量が定まり、不用意な突出量とならない。また、ベース部材は、常時上側へ付勢支持されてなるので、蓋体を開成させることで、容易にベース部材は持ち上がる方向にスライドできる。
【００１６】
請求項６に記載の発明によれば、底部支持部材は、前記ベース部材に対して前記搭載部材の上面に載置する方向に常時付勢支持してなるので、底部支持部材に加わる容器による荷重を底部支持部材のみで受けるヒンジ機構でなくて良い分、ヒンジ機構が簡易なものとなり、安価になる。
【発明を実施するための最良の形態】
【００１７】
簡易な構成よりなり且つ簡易な操作でよいことにより、製造原価の低減や軽量化を可能とし且つ商品性を向上した容器保持装置を提供するという目的を、出没自在なベース部材と、ベース部材に沿う位置及び略水平になる位置に移動可能に軸支され且つ前記搭載部材の上面に載置可能な底部支持部材と、底部支持部材に沿う位置に折りたたまれ且つ前記搭載部材より突出した位置で前記底部支持部材の上側に離間した位置に保持可能なると共に容器の側部を保持可能なる側部支持部材とよりなり、側部支持部材は、ベース部材の両端部にそれぞれ水平方向に回転自在に軸支されてなるよりそれぞれ突出されてなり且つ上下にずれることで互い違いに容器の側部を保持可能な保持部により、実現した。
【実施例１】
【００１８】
図１乃至図５は、この発明の第１実施例の容器保持装置を示した図面である。符号１は、容器保持装置で、シートクッション２とシートバック３とよりなる座席４のシートバック２の格納部５に出没自在の「搭載部材」であるアームレスト６に配設されてなる。
【００１９】
前記容器保持装置１は、固定部材１０と、ベース部材１１と、底部支持部材１２と、側部支持部材１３とより構成されてなる。
【００２０】
前記固定部材１０は、アームレスト６の内部にビス７により立設した状態で固設されてなり、前記ベース部材１１を前後ＦＲ，ＲＲ方向から囲繞してなると共にベース部材１１を上下ＵＰ，ＬＷＯ方向に摺動自在に支持されてなり、該固定部材１０の上端部１０ａには蓋体１４が開閉自在に軸支されてなる。図３は、蓋体１４が、開成した状態を示す。蓋体１４の係合爪１４ａは、固定部材１０の上端部１０ａの形成された凹部１０ｃに係合することで、閉成された状態が保持される。
【００２１】
前記ベース部材１１は、前記アームレスト６に対して埋没した位置、すなわち固定部材１０内に収納された位置及び該埋没位置からアームレスト６より突出した位置すなわち固定部材１０の上端部１０ａより突出した位置(図３参照)の両位置に上下移動可能である。該ベース部材１１の下端部１１ａの前後ＦＲ，ＲＲ方向に突設されたピン状のストッパ１５、１５は、前記固定部材１０に形成されてなる上下長孔１６を摺動可能なるように係合されてなると共に固定部材１０の外壁より前後ＦＲ，ＲＲ方向に突設されたピン状の固定部１０ｂとストッパ１５、１５との間に懸架されたコイル状のスプリング１７により、ベース部材１１が常時上側ＵＰへ付勢支持されてなる。符号１１ｂ、１１ｂは、前記底部支持部材１２の後述する支持軸１２ｂ、１２ｂを軸支した支持部である。符号２９、３０は、前記側部支持部材１３の第１アーム部材２０及び第２アーム部材２１の上下に食い違う保持部２０ｂ、２１ｂが係合離脱可能なるそれぞれ３カ所の開口である。該開口２９は高い位置に形成され、開口３０は低い位置に形成されてなる。
【００２２】
前記底部支持部材１２は、前記アームレスト６に埋没した位置で図２に二点鎖線で示すように前記ベース部材１１に沿い且つ前記アームレスト６より突出した位置で図２に実線で示すように前記アームレスト６の上面６ａに載置可能なるように前後ＦＲ，ＲＲ方向に突設されたピン状の支持軸１２ｂ、１２ｂによりベース部材１１に回転自在に軸支されている。該アームレスト６の上面６ａに載置した状態の底部支持部材１２の上面には、容器８の底部８ａを保持可能なる凹面支持部１２ａが形成されてなる。また、底部支持部材１２は、巻きスプリング１８により前記ベース部材１１に対して前記アームレスト６の上面６ａに載置する方向に常時付勢支持されてなる。換言すると、ベース部材１１をアームレスト６内に押し込めば、巻きスプリング１８の付勢力に抗して底部支持部材１２は図２の二点鎖線で示すように徐々に持ち上がることになる。符号１９は、底部支持部材１２の上面に突出してなるガードで、該ガード１９，１９は、凹部支持部１２ａの周囲に配されることで、牛乳パックなど四角い部材が支持される際の横ずれを防止している。
【００２３】
前記側部支持部材１３は、第１アーム部材２０と、第２アーム部材２１とよりなる。前記第１アーム部材２０は、前記ベース部材１１の両端部に突出されてなる第１，第２支持プレート２２，２３にそれぞれ水平方向に回転自在に軸支されてなるピン２６，２６が上下端部に突出されてなる基部２０ａと、該基部２０ａよりそれぞれ突出されてなり且つ容器８の側部８ｂを外側から保持可能な上下に亘って複数の鈎状の保持部２０ｂとよりなる。前記第２アーム部材２１は、前記ベース部材１１の両端部に突出されてなる第３，第４支持プレート２４，２５にそれぞれ水平方向に回転自在に軸支されてなるピン２６，２６が上下端部に突出されてなる基部２１ａと、該基部２１ａよりそれぞれ突出されてなり且つ容器８の側部８ｂを外側から保持可能で上下に亘って複数の鈎状をなすと共に前記保持部２０ｂに対して上下にずれることで前記保持部２０ｂに上下にずれることで互い違いな保持部２１ｂとよりなる。
【００２４】
前記第１アーム部材２０及び第２アーム部材２１の切り欠き２７、２７と第１支持プレート２２及び第３支持プレート２４との間には、前記第１アーム部材２０及び第２アーム部材２１の前記ピン２６に巻装された巻きスプリング２８，２８によりベース部材１１に沿う位置から前記底部支持部材１２の上側ＵＰに位置するよう常時付勢されて支持してなる。
【００２５】
次に、かかる容器保持装置１の作用について説明する。
【００２６】
前記アームレスト６に対して出没自在なベース部材１１と、該ベース部材１１に軸支された底部支持部材１２及び側部支持部材１３により構成されてなる容器保持装置１であるので、構成が簡易となることで、製造原価の低減や軽量化を可能とした。また、側部支持部材１３の第１，第２アーム２０，２１の保持部２０ｂ、２１ｂが、基部２０ａ，２１ａよりそれぞれ突出されてなり且つ上下にずれることで互い違いに容器８の側部８ｂを保持可能としたことにより、容器８の側部８ｂを上下の長い領域に亘って保持できるので、容器８の転倒を防止でき、商品性が著しく向上する。
【００２７】
前記側部支持部材１３の第１，第２アーム２０，２１の保持部２０ｂ、２１ｂは、前記底部支持部材１２に沿う位置から前記底部支持部材１２の上側ＵＰに位置するよう巻きスプリング２８，２８により常時付勢されて支持してなるので、ベース部材１１が持ち上がることにより、側部支持部材１３の第１，第２アーム２０，２１の保持部２０ｂ、２１ｂが略水平状態に移動し、容器８を収納しやすいことになる。
【００２８】
前記側部支持部材１３の第１，第２アーム２０，２１の保持部２０ｂ、２１ｂは、上下に亘って複数の鈎状に形成されてなるので、容器８の側部８ｂの上下を広範囲に支持でき、振動等が容器８に加わっても転倒しにくくなる。
【００２９】
前記ベース部材１１には、前記側部支持部材１３の第１，第２アーム２０，２１の保持部２０ｂ、２１ｂが出没自在の開口２９，３０が形成されてなるので、側部支持部材１３の第１，第２アーム２０，２１の折りたたみ時に保持部２０ｂ、２１ｂが開口２９，３０内に没することが可能で、保持部２０ｂ、２１ｂが邪魔にならないことで、ベース部材１１に近接できることになる。
【００３０】
前記ベース部材１１は、固定部材１０により上下方向に摺動自在に支持されてなるので、ベース部材１１が没した状態では、底部支持部材１２及び側部支持部材１３も固定部材１０に収納されて、引っ掛けたりする恐れがない。ベース部材１１が突出した状態では、底部支持部材１２及び側部支持部材１３も露出し、容器８を支持できる使用状態になる。前記固定部材１０の上端部１０ａには、蓋体１４が開閉自在に軸支されてなるので、上側ＵＰからゴミなどが落ちても固定部材１０内に入り込むことがない。前記ベース部材１１の下端部１１ａに突設されたストッパ１５は、前記固定部材１０に形成されてなる上下長孔１６を摺動可能であるので、ベース部材１１の露出量が定まり、不用意な突出量とならない。また、ベース部材１１は、常時上側ＵＰへ付勢支持されてなるので、蓋体１４を開成させることで、容易にベース部材１１は持ち上がる方向にスライドできる。
【００３１】
前記底部支持部材１２は、巻きスプリング１８により前記ベース部材１１に対して前記アームレスト６の上面６ａに載置する方向に常時付勢支持してなるので、底部支持部材１２に加わる容器８による荷重を底部支持部材１２のみで受けるヒンジ機構でなくて良い分、ヒンジ機構が簡易なものとなり、安価になる。
【実施例２】
【００３２】
図６乃至図１２は、この発明の第２実施例の容器保持装置を示した図面である。前記第１実施例と異なる点のみを説明して、重複する説明を省略すると共に同じ構成部材は同一符号を用いる。
【００３３】
符号３１は、容器保持装置で、該容器保持装置３１は、固定部材１０（図２乃至図４参照）と、ベース部材１１（図１乃至図５参照）と、底部支持部材１２と、側部支持部材３２とより構成されてなる。
【００３４】
前記側部支持部材３２は、第１アーム部材３３と、第２アーム部材３４とよりなる。前記第１アーム部材３３は、前記ベース部材１１の両端部に突出されてなる第１，第２支持プレート２２，２３にそれぞれ水平方向に回転自在に軸支されてなるピン３５，３５が上下端部に突出されてなる基部３３ａと、該基部３３ａの上端部よりそれぞれ突出されてなり且つ容器８の側部８ｂを外側から保持可能な上下に亘って複数の鈎状の保持部３３ｂとよりなる。前記第２アーム部材３４は、前記ベース部材１１の両端部に突出されてなる第３，第４支持プレート２４，２５にそれぞれ水平方向に回転自在に軸支されてなるピン３５，３５が上下端部に突出されてなる基部３４ａと、該基部３４ａよりそれぞれ突出されてなり且つ容器８の側部８ｂを外側から保持可能で上下に亘って複数の鈎状をなすと共に前記保持部３３ｂに対して上下にずれることで前記保持部３３ｂに互い違いな保持部２１ｂとよりなる。
【００３５】
前記第１アーム部材３３及び第２アーム部材３４の切り欠き３６、３６と第１支持プレート２２及び第３支持プレート２４との間には、前記第１アーム部材３３及び第２アーム部材３４の前記ピン３５，３５に巻装された巻きスプリング３６，３６によりベース部材１１に沿う位置から前記底部支持部材１２の上側ＵＰに位置するよう常時付勢されて支持してなる。符号３８，３９は、前記第１アーム部材３３及び第２アーム部材３４の保持部３３ｂ、３４ｂが係脱自在なる開口である。
【００３６】
かかる第２実施例によれば、前記側部支持部材３２の第１，第２アーム３３，３４の保持部３３ｂ、３４ｂは、前記底部支持部材１２に沿う位置から前記底部支持部材１２の上側ＵＰに位置するよう巻きスプリング３７，３７により常時付勢されて支持してなるので、ベース部材１１が持ち上がることにより、側部支持部材３２の第１，第２アーム３３，３４の保持部３３ｂ、３４ｂが略水平状態に移動し、容器８を収納しやすいことになる。
【産業上の利用可能性】
【００３７】
容器保持装置１、３０が装着されるもので有れば、自動車、航空機、船舶、鉄道など、あらゆる乗り物の座席に適用できる。また、家屋内外の椅子、野球場、サッカー場などの椅子、オペラ座などの観劇用椅子に適用できる。
【図面の簡単な説明】
【００３８】
【図１】この発明の第１実施例に係る容器保持装置を備えた座席の斜視図。
【図２】図１の正面方向からの要部拡大図。
【図３】図１，図２の容器保持装置のみの斜視図。
【図４】図３の容器保持装置の固定部材からベース部材及び蓋体等を外した分解斜視図。
【図５】図４のベース部材から底部支持部材及び側部支持部材を外した分解斜視図。
【図６】この発明の第２実施例に係る容器保持装置の要部の斜視図。
【図７】図６の底部支持部材が持ち上がり始めると共に第１，第２アームが閉じる方向に回転した状態を示す斜視図。
【図８】図６の底部支持部材が持ち上がると共に第１，第２アームが閉じた状態を示す斜視図。
【図９】図６の底部支持部材が閉じ、第１，第２アームが閉じた状態を示す斜視図。
【図１０】図９の第１，第２アームが閉じた状態を示す斜視図。
【図１１】図６の容器保持装置の上面図。
【図１２】図６の容器保持装置の分解斜視図。
【符号の説明】
【００３９】
１、３１  容器保持装置
６  「搭載部材」であるアームレスト
６ａ  アームレストの上面
８  容器
８ａ  容器の底部
８ｂ  容器の側部
１０  固定部材
１０ａ  固定部材の上端部
１０ｂ  固定部材の固定部
１１  ベース部材
１１ａ  ベース部材の下端部
１２  底部支持部材
１２ａ  底部支持部材の凹面支持部
１３、３２  側部支持部材
１４  蓋体
１５  ストッパ
１６  上下長孔
１７  スプリング
１８  巻きスプリング
２０，３３  第１アーム部材
２０ａ，３３ａ  第１アーム部材の基部
２０ｂ、３３ｂ  第１アーム部材の保持部
２１，３４  第２アーム部材
２１ａ，３４ａ  第２アーム部材の基部
２１ｂ、３４ｂ  第２アーム部材の保持部
２９，３０  開口
ＦＲ  前側
ＲＲ  後側
ＵＰ  上側
ＬＷＯ  下側
【図１】
2005104357.tif 000003
【図２】
2005104357.tif 000004
【図３】
2005104357.tif 000005
【図４】
2005104357.tif 000006
【図５】
2005104357.tif 000007
【図６】
2005104357.tif 000008
【図７】
2005104357.tif 000009
【図８】
2005104357.tif 000010
【図９】
2005104357.tif 000011
【図１０】
2005104357.tif 000012
【図１１】
2005104357.tif 000013
【図１２】
2005104357.tif 000014